(57)【特許請求の範囲】
【請求項１】
空気中の水分を吸着・離脱する吸湿材の回転体と、
前記吸湿材の回転体を回転させるためのモータと、
前記吸湿材の回転体を内部に収納する複数枚からなるケースと、
室内の空気を吸い込む吸湿ファンと、
吸湿材から水分を離脱させる空気を加熱する加熱体と、
加熱された空気を送る再生ファンとからなる除加湿装置を内蔵した室内機の空気調和機において、
前記モータを、前記除加湿装置の前記モータ以外の部分を分解せずにメンテナンスができるように前記ケースの外側に設けたことを特徴とする除加湿装置。
【請求項２】
前記モータから、前記吸湿材の回転体への回転駆動を伝達する駆動用歯車の受け部を、前記吸湿材の回転体と同一面内に位置するように前記ケースに設けたことを特徴とする請求項１に記載の除加湿装置。
【請求項３】
前記ケースの前記モータ近傍に切欠き口を設けたことを特徴とする請求項１から請求項２のいずれかに記載の除加湿装置。
【請求項４】
前記ケースを透明な材料で形成したことを特徴とする請求項１から請求項３のいずれかに記載の除加湿装置。
【発明の詳細な説明】
【０００１】
【産業上の利用分野】
本発明は、除加湿装置に関し、特にエアコンの室内機に装着される除加湿装置に関するものである。
【０００２】
【従来の技術】
従来の空気調和機の室内機に装着した除加湿装置は、室内機に内蔵された除加湿装置を図９にしたがって説明する。ケースＬ１０１に再生ファン１０２とモータを固定したモータ取付板を所定の箇所に螺子で取り付け、吸湿ロータ１０３の外周のギヤ側をケースＬ１０２側にして、ケースＬ１０１の軸部に嵌める。また、吸湿ロータ１０３の駆動用モータ１０４と減速ギヤ１０５も所定の位置に取付ける。再生ヒータ１０６を組み込んだ金属製のカバー１０７を所定の位置に組み込んだケースＲ１０８をケースＬ１０１に組み合わせて螺子で固定する。さらに、ケースＲ１０８の金属カバー１０７側に、吸湿ファン１０９のモータを取付けた金属製の取付板を所定の位置に螺子で固定する。最後にダンパー１１０やダンパーモータ１１１を取付けたダンパー装置１１２をケースＲ１０８に取付けると除加湿装置が完成される。図中、１０３は多数の円筒形のセラミックからなり、空気中の水分を吸着する物質が塗られた吸着材である吸湿ロータであり、吸湿ロータ１０３はモータ１０４から変速ギヤ１０５を介して低速回転駆動される。１０９は吸湿ファンであり、吸湿ファンモータによって駆動され、室内から吸込み空気を吸湿ロータ１０３を通過させた後、排気ダクトに導いて室外へ排気する。ここで、吸湿ロータ１０３を通過する時に、空気中に含まれていた水分の多くが吸湿ロータ１０３に吸着される。１０２は、再生ファンであり、再生ファンモータによって駆動され、室内からの吸込み空気を吸湿ロータ１０３を通過させた後、再生ヒータ１０６に導いて再び吸湿ロータ１０３を通過させ、その空気を吹出口から室内に戻す働きをする。
【０００３】
【発明が解決しようとする課題】
しかし、上記従来の技術では、室内の空気中の水分を吸着・離脱する吸湿材の回転体がケース内にて回転しているが、回転体がスムーズに回転しているかをケース内が目視で確認することができない問題があった。また、回転体の駆動用モータがケース内に取り付けられているので、モータの交換する際には分解してモータを交換しなければならない問題があった。
【０００４】
本発明は、このような従来の課題を鑑み、装置を確実に検査が出来、メンテの向上した除加湿装置の提供を目的とするものである。
【０００５】
【課題を解決するための手段】
上記課題を解決するために、空気中の水分を吸着・離脱する吸湿材の回転体と、前記吸湿材の回転体を回転させるためのモータと、前記吸湿材の回転体を内部に収納する複数枚からなるケースと、室内の空気を吸い込む吸湿ファンと、吸湿材から水分を離脱させる空気を加熱する加熱体と、加熱された空気を送る再生ファンとからなる除加湿装置を内蔵した室内機の空気調和機において、前記モータを、前記除加湿装置の前記モータ以外の部分を分解せずにメンテナンスできるように前記ケースの外側に設けたことを特徴とする。この構成によると、モータを最後に取付けが出来、メンテが容易に出来る。
【０００６】
また、前記モータから、前記吸湿材の回転体への回転駆動を伝達する駆動用歯車の受け部を前記吸湿材の回転体と同一面内に位置するように前記ケースに設けたことを特徴とする。この構成によると、回転体と駆動用ギヤとの勘合状態の把握がしやすい。
【０００８】
また、前記ケースの前記モータ近傍に切欠き口を設けたことを特徴とする。この構成によると、切欠き口より手触確認が出来る。
【０００９】
また、前記ケースを透明な材料で形成したことを特徴とする。この構成によると、分解せずに内部の状態が確認が出来る。
【００１０】
【発明の実施の形態】
本発明の実施の形態について図面を参照して説明する。図１は本発明の実施の形態における空気調和機の室内機の外観斜視図、図２は本発明の実施の形態における除加湿装置を室内機に装着した状態を示す透視図、図３は図２の除加湿装置の構成図である。
【００１１】
除加湿装置は、図１及び図２に示すように、室内機１の向かって右端部に装着される。室内機１の前パネル２の室内の空気を吸い込む吸込口３があり、前パネル２の吸込口３の裏面の本体ケーシング４が形成され、本体ケーシング４の右部に除加湿装置６の室内の空気の吸込口５が配設され、本体ケーシング４の背面には、除加湿装置６から室外に空気を排出する排気口７が設けられ、排気ダクト１２が接続される。室内機１に内蔵された除加湿装置６を図３にしたがって説明する。図中、８は多数の円筒形のセラミックからなり、空気中の水分を吸着する物質が塗られた吸着材である吸湿ロータ８であり、吸湿ロータ８はモータ９から変速ギヤ１０を介して低速回転駆動される。１１は吸湿ファンであり、吸湿ファンモータによって駆動され、室内から吸込み空気を吸湿ロータ８を通過させた後、排気ダクト１２に導いて室外へ排気する。ここで、吸湿ロータ８を通過する時に、空気中に含まれていた水分の多くが吸湿ロータ８に吸着される。１３は再生ファンであり、再生ファンモータによって駆動され、室内からの吸い込んだ空気を吸湿ロータ８を通過させた後、再生ヒータ１４に導いて再び吸湿ロータ８を通過させ、その空気を吹出口１５から室内に戻す働きをする。ここで、例えば、除湿運転のときには、室内の空気が吸湿ロータ８を通過するときにいくらかの空気中の水分が吸湿ロータ８に吸着される。他方吸湿ロータ８に吸着されていた水分が再生ヒータ１４の熱によって離脱し、通過する空気が湿分を多く吸収される。このようにして、乾燥した空気を室内に放出し、湿った空気を室外に排気することにより、室内の空気が除湿される。また、加湿運転のときには、、乾燥した空気を室外に排気し、湿った空気を室内に放出することにより、室内の空気に含まれる水分を室内に蓄積することによって室内の湿度を上げるようにして加湿される。
【００１２】
除加湿装置６の中央には吸湿材を塗布した吸湿ロータ８があり、吸湿材には、たとえばゼオライトの粉末に接着材を混合したものを使用する。吸湿ロータ８の右側上側にシロッコファンからなる吸湿ファン１１および除湿モータが配設され、下部に再生ヒータ１４が配設されている。吸湿ファン１１の後部に排気ダクト１２が接続されており、排気ダクト１２はエアコン据付時の室内機と室外機との接続用配管穴との相関位置によって、長さ形状のことなる種々の延長ダクトが取付けられる構造になっている。吸湿ロータ８の左側下前方部には、シロッコファンからなる再生ファン１３および再生ファンモータがある。また、吸湿ロータ８の後方部には、吸湿ロータ８を回転させるための同期モータ９と、吸湿ロータ８をゆっくりした回転に減速するための減速ギヤ１０がある。
【００１３】
また、この除加湿装置６は、図４に示すように、樹脂製からなるケースが複数枚からなる組み合わせにて構成されており、ケースＲ１６には、室内の空気を吸い込む長方形をした穴が多数配列した吸込口１６ａを設け、吸込口１６ａと反対側の位置のところに切欠き口１６ｂがあり、切欠き口１６ｂの近傍ににはモータ９を納める取付部１６ｃ、この取付部１６ｃには吸湿ロータ８を減速回転させる減速ギヤ１０を受けるギヤ受け部１６ｄがあり、受け部１６ｄには、貫通した穴がある。この切欠き口１６ｂは取り外し自在のカバーでシールされる構造でも構わない。ケースＲ１６の中央部には吸湿ロータ８の回転軸の軸受部があり、ケースＲ１６の先端部には、再生ファン１３を取付けるインボーリュート曲線をした壁１６ｅと、その壁１６ｅとつながったモータを固定するボスからなるケーシングが形成されている。また、再生した空気を通す部屋１６ｆと、その部屋１６ｆを通過して、再生ファン１３に入る通路を設けている。また、ケースＲ１６の外側には、モータ９が収まる取付け部が凹状で、この近傍には、モータ９の固定用の位置決めボスとボスの中央に穴が開いたボスが左右に２本づつ設けられている。
【００１４】
一方のケースＬ１７は、ケースＲ１６に対向する面の中央部に吸湿ロータ８の軸受用のボスと、吸湿ロータ８の外周よりわずかに離れたところに立壁１７ａが設けられ、再生空気を通過するために底面に約半分（約１８０°）に穴が開いており、この穴と反対側には、吸湿ロータ８を通過した空気を通す約６０ｍｍの穴１７ｃが配設されている。また、吸湿ロータ８の取付け面と反対側の面には、吸湿ロータ８を介して室内の空気を吸い込む吸湿ファン１１用のケーシングの立壁１７ｂがあり、その通路の下流側には、通路の切換えをするダンパー装置１８への通路があり、再生用の空気を加熱する再生ヒータ１４を内蔵した金属製のカバー２０の取付け用の穴が複数箇所設けられている。
【００１５】
ケースＬ１７の左側には、ダンパー２０を内蔵した透明の樹脂製のケ−スを２枚組み合わせたダンパー装置１８があり、ケースＬ１７側のダンパー装置１８のケースＬ１９は、吸湿ファン１１から乾燥した空気の入口１９ａと、吸湿ロータ８で水分を離脱し湿った空気の入口１９ｂと、室外に排気する口のダクト接続口１９ｃが設けられ、さらに中央部にはダンパー２０の軸受用のボスがあり、近傍にダンパー駆動用のモータ２２からの減速ギヤ２３の受けが設けられている。他方のダンパー装置１８のケースＲ２１には、室内に空気を戻す室内排気口２１ａが設けられ、その近傍にダンパー２０を駆動させるモータ取付け用の穴が設けられている。ダンパー２０の形状は、中央部に軸受のボスがあり、外周の約１／４部分にギヤが配列し、さらに空気の通路を切り替える壁を設けている。
【００１６】
この除加湿装置６の組立手順は、ケースＬ１６に再生ファン１３とモータを固定したモータ取付板を所定の箇所に螺子で取り付け、吸湿ロータ８の外周のギヤ側をケースＬ１６側にして、ケースＬ１６の軸部に嵌める。また、減速ギヤ１０も所定の位置に取付ける。再生ヒータ１４を組み込んだ金属製のカバー２０を所定の位置に組み込んだケースＲ１７をケースＬ１６に組み合わせて螺子で固定する。このとき、ケースＬ１６の切欠き口１６ｂより、吸湿ロータ８を手によって回転させ、回転時のズレ、接触などを確認の手触検査ができる。さらに、ケースＲ１７の金属カバー２０側に、吸湿ファン１１のモータを取付けた金属製の取付板を所定の位置に螺子で固定する。最後にダンパー２０やダンパーモータ２２を取付けたダンパー装置１８をケースＬ１６に取付けると除加湿装置６が完成される。
【００１７】
次に、この除加湿装置の機能および構造ならびに空気の流れを加湿運転について説明する。室内から吸い込んだ空気を前パネル２の前面の吸込口３や本体ケーシング４の上部にかけての吸込口から吸い込み、フィルター２４を通して吸湿ロータ８の左側面に導かれる。吸湿ロータ８の両面には、図８に示す角度でそれぞれの通風路を構成されており、ロータと接触する部分での空気の漏れがないようにロータ表面を脩道する形状にしたゴムパッキンにてシールとする。吸湿ファン１１によって吸い込まれた空気は、図８のロータ側面の１／２（１８０°）の面積を有するＡのエリアを通過する時、空気中の水分がロータに塗った吸湿材に水分が吸着され、吸湿ロータ８を通過後乾燥した空気となる。乾燥した空気は、吸湿ファン１１のモータによるシロッコファンの働きによって排気ダクト１２を通り室外に排気される。再生ファン１３のモータによって、吸い込まれた空気は、図８のＢのエリアおよびＤのエリアの吸湿ロータ８側面の１／８（４５°）ずつの面積を通過し、吸湿ロータ８右側面から出た後Ｕターンして再生ヒータ１４に導かれるが、Ｂのエリアを通過する時、上記と同様に空気中の水分がロータの吸湿材に吸着される。ただし、吸湿ロータ８はゆっくりした速度で回っており、このＢのエリアはＡのエリアを通った後に来るので、Ｂのエリアでの水分の吸湿効率はＡのエリアほど良くない。また、Ｄのエリアを通過する時、Ｄのエリアは吸湿ロータ８のＣのエリアの後にくるため、吸湿ロータ８を形成するセラミックの温度がまだ充分低くなっていないのでＤのエリアでの水分の吸着作用も小さい。ＢとＤのエリアを通った空気は再生ヒータ１４を通過する時、高温に温められ、その後吸湿ロータ８の右側面から図５のＣエリアの吸湿ロータ８側面の１／４（９０°）の面積を左側面へ通過する。この時、吸湿ロータ８の吸湿材に吸着されていた水分が加熱されることによって、吸湿材から放出される。その結果、湿気を多量に含んだ空気となって吸湿ロータ８の右側面から再生ファン１４に入
り、吹出口１５から室内に吹出される。
【００１８】
以上説明した機能、構造によって、乾燥した空気を空気を屋外に排出し、湿気を室内に蓄積することによって加湿するものである。
【００１９】
このように組み立てされた除加湿装置６は、組立途中に、ケースＲ１６の切欠き口１６ｂより吸湿ロータ８を手触による確認検査が出来るので、問題点を早めに検出が可能になり、万一、不具合が発生しても分解にかかる時間が大幅に短縮が出来る。
【００２０】
また、吸湿ロータ８の駆動用モータ９をケースの外側に取付けることにより、分解せずにメンテが出来、時間ロスが解消される。
【００２１】
【発明の効果】
以上の説明から明らかなように本発明は、空気中の水分を吸着・離脱する吸湿材の回転体と、室内の空気を吸い込む吸湿ファンと、吸湿材から水分を離脱させる空気を加熱する加熱体と、加熱された空気を送る再生ファンからなる除加湿装置を内蔵した室内機の空気調和機において、
前記吸湿材の回転体を回転させる駆動用のモータを、ケースの外側に設け、また、切欠き口を設けたことにより、切欠き口より手触確認が出来、問題点を早めに検出が可能になり、万一、不具合が発生しても分解にかかる時間が大幅に短縮が出来、吸湿ロータの駆動用モータをケースの外側に取付けることにより、分解せずにメンテが出来、時間ロスが解消される。
【００２２】
また、前記モータから、前記吸湿材の回転体への回転駆動を伝達する駆動用歯車の受け部を回転体と同一面のケース側に設けたことで、回転体と駆動用ギヤとの勘合状態の把握がしやすい。
【図面の簡単な説明】
【図１】本発明の実施の形態における除加湿装置を室内機に装着した状態を示す透視図である。
【図２】本発明の実施の形態における空気調和機の室内ユニット本体の概略図である。
【図３】本発明の実施の形態における除加湿装置の構成を示す図である。
【図４】本発明の実施の形態における除加湿装置の分解図である。
【図５】図４のケースＬ側の分解図である。
【図６】図７のケースＬの斜視図である。
【図７】図４のケースＲの斜視図である。
【図８】空気の流れと吸湿ロータとの関係を説明するための図である。
【図９】従来の除加湿装置の分解図である。
【図１０】図９のケースＬ側の分解図である。
【符号の説明】
１  室内機
２  前パネル
３  吸込口（前パネル２の）
４  本体ケーシング
５  吸込口（本体ケーシング４の）
６  除加湿装置
７  排気口
８  吸湿ロータ（吸湿材の回転体）
９  モータ（吸湿ロータ８の）
１０減速ギヤ（駆動用歯車）
１１吸湿ファン
１２排気ダクト
１３再生ファン
１４再生ヒータ（加熱体）
１５吹出口
１６ケースＲ
１６ａ吸込口（ケースＲ１６の）
１６ｂ切欠き口（ケースＲ１６の）
１６ｄ受け部（ケースＲ１６の）
１７ケースＬ
１８ダンパー装置
１９ケースＬ（ダンパー装置１８の）
２０ダンパー
２１ケースＲ（ダンパー装置１８の）
２２モータ（ダンパー装置１８の）
２３減速ギヤ（ダンパー装置１８の）
２４フィルター
【図１】
0003638834.tif 000002
【図２】
0003638834.tif 000003
【図３】
0003638834.tif 000004
【図４】
0003638834.tif 000005
【図５】
0003638834.tif 000006
【図６】
0003638834.tif 000007
【図７】
0003638834.tif 000008
【図８】
0003638834.tif 000009
【図９】
0003638834.tif 000010
【図１０】
0003638834.tif 000011